(57)【要約】【課題】紙製容器と同容器に外れ難く嵌合するプラスチックシート製蓋とから成る蓋付き容器を提供する。【解決手段】底板の四辺から湾曲板から成る側板７乃至１０を立ち上げて収容部を形成した紙製容器と、該紙製容器の開口に被嵌されるプラスチックシート製蓋２０とから成り、該蓋２０は四縁部に環状に連通する湾曲溝から成る嵌合溝を有し、上記各湾曲板の上端縁が上記各湾曲溝内へ嵌合して同上端縁の中央湾曲頂部３３が該湾曲溝外側壁の中央湾曲頂部３３′に加圧接触すると共に、上記各嵌合溝の隣接部に形成された各コーナー部の外側壁に加圧リブ２９乃至３２を設け、該各加圧リブを上記各側板の隣接部に形成された各コーナー部に加圧接触して上記各側板の上端縁の中央湾曲頂部３３と各嵌合溝の外側壁の中央湾曲頂部３３′との加圧接触を増圧し上記各加圧リブによる加圧接触点に応力集中する構成とした蓋付き容器。【選択図】        図９
2005247413.tif 000002
【特許請求の範囲】
【請求項１】
底板の四辺の夫々から側板を立ち上げて上方へ開口せる収容部を形成し、該各側板が外側方へ膨出する湾曲板から成る紙製容器と、該紙製容器の開口に被嵌されるプラスチックシート製蓋とから成り、該プラスチックシート製蓋は四縁部に環状に連通する嵌合溝を有し、該各嵌合溝が外側方へ膨出する湾曲溝から成り、上記紙製容器の各側板を形成する湾曲板の上端縁が上記各嵌合溝を形成する湾曲溝内へ嵌合して同上端縁の中央湾曲頂部が該湾曲溝の外側壁に加圧接触すると共に、上記各嵌合溝の隣接部に形成された各コーナー部の外側壁に加圧リブを設け、該各加圧リブを上記各側板の隣接部に形成された各コーナー部に加圧接触し、該各加圧リブによる加圧により上記各側板の上端縁の中央湾曲頂部と各嵌合溝の外側壁の中央湾曲頂部との上記加圧接触を招来するか又は同加圧接触を増圧して各側板の隣接部に形成された各コーナー部と各加圧リブの加圧接触点に応力集中する構成としたことを特徴とする蓋付き容器。
【請求項２】
上記各側板の隣接部に形成された対角線上に存するコーナー部間の寸法Ｄ１と上記対角線上に存する加圧リブ間の寸法Ｄ２とがＤ１＞Ｄ２の関係に設定したことを特徴とする請求項１記載の蓋付き容器。
【請求項３】
上記対向する側板の上端縁部の中央湾曲頂部間の寸法Ｓ１と上記対向する嵌合溝の外側壁の中央湾曲頂部間の寸法Ｓ２とがＳ１＞Ｓ２の関係に設定したことを特徴とする請求項１記載の蓋付き容器。
【請求項４】
上記各側板の隣接部に形成された各コーナー部において隣接する側板と連結され且つ対向する一対の側板の外表面に折り重ね同表面に接着された襠板を有し、該襠板と該襠板が貼り合わされた側板部分を上記対向する一対の嵌合溝の外側壁と内側壁間に挟み込む構成としたことを特徴とする請求項１記載の蓋付き容器。
【請求項５】
上記各嵌合溝の外側壁の下端縁部には外側方へ張り出す環状フランジを設けたことを特徴とする請求項１記載の蓋付き容器。
【発明の詳細な説明】
【技術分野】
【０００１】
本発明は食品等を収容し、販売に供される蓋付き容器に関する。
【背景技術】
【０００２】
特許文献１乃至４は下記のａ乃至ｅの構成を有する第一の紙製容器を開示している。
【０００３】
ａ．対向する第一、第三辺を外側方へ対称に膨出する湾曲辺とし、他の対向する第二、第四辺を互いに平行な直線辺とした底板を有する、
【０００４】
ｂ．上記第一乃至第四辺から立ち上げられた互いに連結する第一乃至第四側板を有し、底板と第一乃至第四側板にて上方へ開口せる収容部を画成している、
【０００５】
ｃ．上記第一乃至第四側板の隣接部に形成された第一乃至第四コーナー部において隣接する側板と連結され、対向する第一、第三側板の外表面に折り重ね同表面に接着された第一乃至第四襠板を有する、
【０００６】
ｄ．上記第一乃至第四側板中の少なくとも対向する第一、第三側板が外側方へ膨出する湾曲板から成る、
【０００７】
ｅ．上記底板が上記収容部内へアーチ状に湾曲している。
【０００８】
又特許文献１乃至４は下記のａ乃至ｅの構成を有する第二の紙製容器を開示している。
【０００９】
ａ．対向する第一、第三辺を外側方へ対称に膨出する湾曲辺とし、且つ他の対向する第二、第四辺を外側方へ対称に膨出する湾曲辺とした底板を有する、
【００１０】
ｂ．上記第一乃至第四辺から立ち上げられた互いに連結する第一乃至第四側板を有し、底板と第一乃至第四側板にて上方へ開口せる収容部を画成する、
【００１１】
ｃ．上記第一乃至第四側板の隣接部に形成された第一乃至第四コーナー部において隣接する側板と連結され、対向する第一、第三側板の外表面に折り重ね同表面に接着された第一乃至第四襠板を有する、
【００１２】
ｄ．上記第一乃至第四側板が外側方へ膨出する湾曲板から成る、
【００１３】
ｅ．上記底板が上記収容部内へ球状に湾曲している。
【特許文献１】実開昭６２−１９７５１７号公報
【特許文献２】実開平７−３７９７５号公報
【特許文献３】特開平８−３２４５４２号公報
【特許文献４】特開２０００−３３９３４号公報
【発明の開示】
【発明が解決しようとする課題】
【００１４】
上記の通り紙製容器の各側板を外側方へ湾曲せしめる原理技術は、上記特許文献１乃至４により既知のものである。
【００１５】
本発明は上記紙製容器の発展的思想として、同容器と同容器に外れ難く嵌合するプラスチックシート製蓋とから成る蓋付き容器を提供するものである。
【００１６】
即ち上記紙製容器は四側板が湾曲板から成るが、本発明は上記紙製容器の四側板を形成する湾曲板と協働してプラスチックシート製蓋を圧力嵌めし外れ難くした蓋付き容器を提供する。
【課題を解決するための手段】
【００１７】
本発明に係る蓋付き容器は底板の四辺の夫々から側板を立ち上げて上方へ開口せる収容部を形成し、該各側板が外側方へ膨出せる湾曲板から成る紙製容器と、該紙製容器の開口に被嵌されるプラスチックシート製蓋とから成る。
【００１８】
上記プラスチックシート製蓋は四縁部に環状に連通する嵌合溝を有し、該各嵌合溝が外側方へ膨出する湾曲溝から成る。
【００１９】
そして上記紙製容器の各側板を形成する湾曲板の上端縁が上記各嵌合溝を形成する湾曲溝内へ嵌合し、同上端縁の中央湾曲頂部が該湾曲溝の外側壁の中央湾曲頂部に加圧接触する構成にする。
【００２０】
他方上記各嵌合溝の隣接部に形成された各コーナー部の外側壁に加圧リブを設け、該各加圧リブを上記各側板の隣接部に形成された各コーナー部に加圧接触し、該各加圧リブによる加圧により上記各側板の上端縁の中央湾曲頂部と各嵌合溝の外側壁の中央湾曲頂部との上記加圧接触を招来するか、又は同加圧接触を増圧して、各側板の隣接部に形成された各コーナー部と各加圧リブの加圧接触点に応力集中する構成を採る。
【００２１】
換言すると、底板の第一乃至第四辺から第一乃至第四側板を立ち上げて上方へ開口せる収容部を画成し、該第一乃至第四側板が外側方へ膨出する湾曲板から成る紙製容器と、該紙製容器の開口に被嵌されるプラスチックシート製蓋とから成り、該プラスチックシート製蓋は四縁部に環状に連通する第一乃至第四嵌合溝を有し、該第一乃至第四嵌合溝が外側方へ膨出する湾曲溝から成り、上記紙製容器の第一乃至第四側板を形成する湾曲板の上端縁が上記第一乃至第四嵌合溝を形成する湾曲溝内へ嵌合して同上端縁の中央湾曲頂部が該湾曲溝の外側壁の中央湾曲頂部に加圧接触すると共に、上記第一乃至第四嵌合溝の隣接部に形成された第一乃至第四コーナー部の外側壁に第一乃至第四加圧リブを設け、該第一乃至第四加圧リブを上記第一乃至第四側板の隣接部に形成された第一乃至第四コーナー部に加圧接触し、該第一乃至第四加圧リブによる加圧により上記第一乃至第四側板の上端縁の中央湾曲部と第一乃至第四嵌合溝の外側壁の中央湾曲頂部との上記加圧接触を招来するか又は同加圧接触を増圧し第一乃至第四側板の隣接部に形成された第一乃至第四コーナー部と第一乃至第四加圧リブの加圧接触点に応力集中する構成とした蓋付き容器を提供するものである。
【００２２】
上記蓋付き容器は上記紙製容器を形成する湾曲板がプラスチックシート製蓋の湾曲溝内へ適切に嵌合すると同時に、上記紙製容器の湾曲板と、プラスチックシート製蓋の湾曲溝と、上記加圧リブとが協働して、加圧リブが加圧接触する四コーナー部に応力集中せしめプラスチックシート製蓋を紙製容器に容易には外れ難く安定に圧力嵌めできる蓋付き容器を提供する。
【００２３】
上記各側板の隣接部に形成された対角線上に存するコーナー部間の寸法Ｄ１と上記対角線上に存する加圧リブ間の寸法Ｄ２とは、Ｄ１＞Ｄ２の関係となるように設定し、上記四コーナー部における応力集中を確保する。
【００２４】
又上記対向する側板の上端縁部の中央湾曲頂部間の寸法Ｓ１と、上記対向する嵌合溝の外側壁の中央湾曲頂部間の寸法Ｓ２とは、Ｓ１＞Ｓ２の関係となるように設定し、上記四コーナー部における応力集中を確保する。
【００２５】
上記紙製容器においては、各側板の隣接部に形成された各コーナー部において隣接する側板と連結され且つ対向する一対の側板の外表面に折り重ね同表面に接着された襠板を設け、該襠板と該襠板が貼り合わされた側板部分を上記対向する一対の嵌合溝の外側壁と内側壁間に挟み込み、上記応力の内側方への逃げを有効に防止する。
【００２６】
上記各嵌合溝の外側壁の下端縁部には外側方へ張り出す環状フランジを設け、プラスチックシート製蓋の嵌合と嵌合解除操作を容易にする。
【発明を実施するための最良の形態】
【００２７】
図１乃至図１２は第一の紙製容器１とプラスチックシート製蓋２０とから成る蓋付き容器を示しており、該紙製容器１は図１，図２，図３，図５，図７に示すように、下記のａ乃至ｅの構成を有する。
【００２８】
ａ．対向する第一、第三辺２，４を外側方へ対称に膨出する湾曲辺とし、他の対向する第二、第四辺３，５を互いに平行な直線辺とした、上下に弾力的に撓むことができる底板６を有する。
【００２９】
ｂ．上記第一乃至第四辺２，３，４，５から立ち上げられた互いに連結する第一乃至第四側板７，８，９，１０を有し、底板６と第一乃至第四側板７，８，９，１０にて上方へ開口せる収容部１１を画成する。第一乃至第四側板７，８，９，１０は内外へ弾力的に撓むことができる。
【００３０】
ｃ．上記第一乃至第四側板７，８，９，１０の隣接部に形成された第一乃至第四コーナー部１２，１３，１４，１５において隣接する側板と連結され、対向する第一、第三側板２，４の外表面に折り重ね同表面に接着された第一乃至第四襠板１６，１７，１８，１９を有する。
【００３１】
ｄ．上記第一乃至第四側板７，８，９，１０が外側方へ膨出する湾曲板から成る。
上記湾曲辺から成る第一、第三辺２，４から立ち上がる第一、第三側板７，９はその略全高において湾曲し、直線辺から成る第二，第四辺３，５から立ち上がる第二，第四側板８，１０はその直線辺と接する領域において平板であり、その上端縁の領域において湾曲する。
【００３２】
ｅ．上記底板６が上記収容部１１内へアーチ状に湾曲する。
【００３３】
次に図４，図５，図８に示すように、上記第一紙製容器１の開口に被嵌するプラスチックシート製蓋２０は下記のａ乃至ｄの構成を有する。
【００３４】
ａ．上記収容部１１内が透視可能なプラスチックシート材から成る。
【００３５】
ｂ．四縁部に互いに連通する第一乃至第四嵌合溝２１，２２，２３，２４を有する。
【００３６】
ｃ．上記第一乃至第四嵌合溝２１，２２，２３，２４を外側方へ膨出する湾曲溝とする。
【００３７】
ｄ．上記第一乃至第四嵌合溝２１，２２，２３，２４の隣接部に形成された第一乃至第四コーナー部２６，２７，２８，２９の外側壁に、上記第一乃至第四側板７，８，９，１０の隣接部に形成された第一乃至第四コーナー部１２，１３，１４，１５を内方へ押圧する第一乃至第四加圧リブ２９，３０，３１，３２を設ける。
【００３８】
上記ａ乃至ｄの構成を有するプラスチックシート製蓋２０はプラスチックシートを加熱軟化しつつ型を用いて圧空成形又は真空成形する。
【００３９】
そして図６，図８，図９，図１０に示すように、上記構成を有する紙製容器１とプラスチックシート製蓋２０とに下記のａ乃至ｃの嵌合構造を付与する。
【００４０】
ａ．上記紙製容器１の第一乃至第四側板７，８，９，１０を形成する湾曲板の上端縁が上記第一乃至第四嵌合溝２１，２２，２３，２４を形成する湾曲溝内へ嵌合する。
【００４１】
ｂ．上記湾曲溝内へ嵌合した上記第一乃至第四側板７，８，９，１０を形成する湾曲板は、該湾曲板の上端縁の中央湾曲頂部３３が第一乃至第四嵌合溝２１，２２，２３，２４を形成する湾曲溝の外側壁３４の中央湾曲頂部３３′に加圧接触して嵌合する。
【００４２】
ｃ．上記第一乃至第四加圧リブ２９，３０，３１，３２による加圧により上記第一乃至第四側板７，８，９，１０を形成する湾曲板の上端縁の中央湾曲頂部３３と、第一乃至第四嵌合溝２１，２２，２３，２４を形成する湾曲溝の外側壁３４の中央湾曲頂部３３′との上記加圧接触を招来する。即ち湾曲板の上端縁がそれ自身では嵌合溝の外側壁３４に加圧接触しないが、上記加圧リブ２９，３０，３１，３２により上記湾曲溝の外側壁３４との加圧接触力を招来する構成にする。
【００４３】
又は上記第一乃至第四加圧リブ２９，３０，３１，３２による加圧により上記第一乃至第四側板７，８，９，１０を形成する湾曲板の上端縁の中央湾曲頂部３３と、第一乃至第四嵌合溝２１，２２，２３，２４を形成する湾曲溝の外側壁３４の中央湾曲頂部３３′との上記加圧接触を増圧する構成にする。即ち湾曲板の上端縁がそれ自身の弾力により嵌合溝の外側壁３４に加圧接触する構成にし、該加圧接触を加圧リブ２９，３０，３１，３２による上記加圧により増圧する構成にする。
【００４４】
Ｆ５，Ｆ６，Ｆ７，Ｆ８は湾曲板の中央湾曲頂部３３と湾曲溝の外側壁３４の中央湾曲頂部３３′の加圧接触点を示している。
【００４５】
上記により、各側板７，８，９，１０の隣接部に形成された各コーナー部各加圧リブ２９，３０，３１，３２との加圧接触点Ｆ１，Ｆ２，Ｆ３，Ｆ４に応力集中する構成とする。
【００４６】
図１３乃至図２２は第二の紙製容器１とプラスチックシート製蓋２０とから成る蓋付き容器を示しており、該紙製容器１は図２，図１３，図１４，図１５，図１７に示すように、下記のａ乃至ｅの構成を有する。
【００４７】
ａ．対向する第一、第三辺２，４を外側方へ対称に膨出する湾曲辺とし、他の対向する第二、第四辺３，５を外側方へ対称に膨出する湾曲辺とした、上下に弾力的に撓むことができる底板６を有する。
【００４８】
ｂ．上記第一乃至第四辺２，３，４，５から立ち上げられた互いに連結する第一乃至第四側板７，８，９，１０を有し、底板６と第一乃至第四側板７，８，９，１０にて上方へ開口せる収容部１１を画成する。該第一乃至第四側板７，８，９，１０は内外へ弾力的に撓むことができる。
【００４９】
ｃ．上記第一乃至第四側板７，８，９，１０の隣接部に形成された第一乃至第四コーナー部１２，１３，１４，１５において隣接する側板と連結され、対向する第一、第三側板２，４の外表面に折り重ね同表面に接着された第一乃至第四襠板１６，１７，１８，１９を有する。
【００５０】
ｄ．上記第一乃至第四側板７，８，９，１０が外側方へ膨出する湾曲板から成る。
上記湾曲辺から成る第一乃至第四辺２，３，４，５から立ち上がる第一乃至第四側板７，８，９，１０はその略全高において湾曲する。
【００５１】
ｅ．上記底板６が上記収容部１１内へ球状に膨入する湾曲板から成る。
【００５２】
次に図４，図１５，図１８に示すように、上記第二紙製容器１の開口に被嵌するプラスチックシート製蓋２０は下記のａ乃至ｄの構成を有する。
【００５３】
ａ．収容部１１内が透視可能なプラスチックシート材から成る。
【００５４】
ｂ．四縁部に互いに連通する第一乃至第四嵌合溝２１，２２，２３，２４を有する。
【００５５】
ｃ．上記第一乃至第四嵌合溝２１，２２，２３，２４を外側方へ弧形に膨出する湾曲溝とする。
【００５６】
ｄ．上記第一乃至第四嵌合溝２１，２２，２３，２４の隣接部に形成された第一乃至第四コーナー部２６，２７，２８，２９の外側壁に、上記第一乃至第四側板７，８，９，１０の隣接部に形成された第一乃至第四コーナー部１２，１３，１４，１５を内方へ押圧する第一乃至第四加圧リブ２９，３０，３１，３２を設ける。
【００５７】
上記ａ乃至ｄの構成を有するプラスチックシート製蓋２０はプラスチックシートを加熱軟化しつつ型を用いて圧空成形又は真空成形する。
【００５８】
そして図１６，図１９，図２０に示すように、上記構成を有する紙製容器１とプラスチックシート製蓋２０とに下記のａ乃至ｃの嵌合構造を付与する。
【００５９】
ａ．上記紙製容器１の第一乃至第四側板７，８，９，１０を形成する湾曲板の上端縁が上記第一乃至第四嵌合溝２１，２２，２３，２４を形成する湾曲溝内へ嵌合する。
【００６０】
ｂ．上記湾曲溝内へ嵌合した上記第一乃至第四側板７，８，９，１０を形成する湾曲板は、該湾曲板の上端縁の中央湾曲頂部３３が第一乃至第四嵌合溝２１，２２，２３，２４を形成する湾曲溝の外側壁３４の中央湾曲頂部３３′に加圧接触して嵌合する。
【００６１】
ｃ．上記第一乃至第四加圧リブ２９，３０，３１，３２による加圧により上記第一乃至第四側板７，８，９，１０を形成する湾曲板の上端縁の中央湾曲頂部３３と、第一乃至第四嵌合溝２１，２２，２３，２４を形成する湾曲溝の外側壁３４の中央湾曲頂部３３′との上記加圧接触を招来する。即ち湾曲板の上端縁がそれ自身では嵌合溝の外側壁３４に加圧接触しないが、上記加圧リブ２９，３０，３１，３２により上記湾曲溝の外側壁３４との加圧接触力を招来する構成にする。
【００６２】
又は上記第一乃至第四加圧リブ２９，３０，３１，３２による加圧により上記第一乃至第四側板７，８，９，１０を形成する湾曲板の上端縁の中央湾曲頂部３３と、第一乃至第四嵌合溝２１，２２，２３，２４を形成する湾曲溝の外側壁３４との上記加圧接触を増圧する構成にする。
【００６３】
即ち湾曲板の上端縁がそれ自身の弾力により嵌合溝の外側壁３４に加圧接触する構成にし、該加圧接触を加圧リブ２９，３０，３１，３２による上記加圧により増圧する構成にする。
【００６４】
Ｆ５，Ｆ６，Ｆ７，Ｆ８は湾曲板の中央湾曲頂部３３と湾曲溝の外側壁３４の中央湾曲頂部３３′の加圧接触点を示している。
【００６５】
上記により、各側板７，８，９，１０の隣接部に形成された各コーナー部と各加圧リブ２９，３０，３１，３２との加圧接触点Ｆ１，Ｆ２，Ｆ３，Ｆ４に応力集中する構成とする。
【００６６】
上記第一、第二紙製容器１とプラスチックシート製蓋２０とによって、底板６の四辺２，３，４，５の夫々から側板７，８，９，１０を立ち上げて上方へ開口せる収容部１１を形成し、該各側板７，８，９，１０が外側方へ膨出する湾曲板から成る紙製容器１と、該紙製容器１の開口に被嵌されるプラスチックシート製蓋２０とから成り、該プラスチックシート製蓋２０は四縁部に環状に連通する嵌合溝２１，２２，２３，２４を有し、該各嵌合溝２１，２２，２３，２４が外側方へ膨出する湾曲溝から成り、上記紙製容器１の各側板７，８，９，１０を形成する湾曲板の上端縁が上記各嵌合溝２１，２２，２３，２４を形成する湾曲溝内へ嵌合して同上端縁の中央湾曲頂部３３が該湾曲溝の外側壁３４の中央湾曲頂部３３′に加圧接触すると共に、上記各嵌合溝２１，２２，２３，２４の隣接部に形成された各コーナー部２５，２６，２７，２８の外側壁３４に加圧リブ２９，３０，３１，３２を設け、該各加圧リブ２９，３０，３１，３２を上記各側板７，８，９，１０の隣接部に形成された各コーナー部１２，１３，１４，１５に加圧接触し、該各加圧リブ２９，３０，３１，３２による加圧により上記各側板７，８，９，１０の上端縁の中央湾曲頂部３３と各嵌合溝２１，２２，２３，２４の外側壁３４の中央湾曲頂部３３′との上記加圧接触を招来するか又は同加圧接触を増圧して各側板７，８，９，１０の隣接部に形成された各コーナー部１２，１３，１４，１５と各加圧リブ２９，３０，３１，３２の加圧接触点に応力集中する構成とした蓋付き容器を形成する。
【００６７】
上記第一、第二紙製容器１とプラスチックシート製蓋２０とで形成する蓋付き容器は、上記紙製容器１の側板７，８，９，１０を形成する湾曲板がプラスチックシート製蓋２０の湾曲溝内へ適切に嵌合すると同時に、上記紙製容器１を形成する湾曲板と、プラスチックシート製蓋２０の湾曲溝と、上記加圧リブ２９，３０，３１，３２とが協働して、加圧リブ２９，３０，３１，３２が加圧接触する四コーナー部に応力集中する構成を実現し、プラスチックシート製蓋２０を紙製容器１に容易には外れ難く安定に圧力嵌めできる蓋付き容器を提供する。
【００６８】
図１１，図１２並びに図２１，図２２に示すように、上記第一、第二紙製容器１とプラスチックシート製蓋２０から成る蓋付き容器において、上記各側板７，８，９，１０の隣接部に形成された対角線上に存するコーナー部１２，１４間と１３，１５間の寸法Ｄ１と上記対角線上に存する加圧リブ２９，３１間と３０，３１間の寸法Ｄ２とをＤ１＞Ｄ２の関係に設定し、上記四コーナー部における応力集中を確保する。
【００６９】
又上記対向する側板の上端縁部の中央湾曲頂部３３間の寸法Ｓ１と上記対向する嵌合溝の外側壁の中央湾曲頂部３３′間の寸法Ｓ２とがＳ１＞Ｓ２の関係に設定し、両中央湾曲頂部３３，３３′相互の加圧接触を確保する。
【００７０】
又上記第一、第二紙製容器１とプラスチックシート製蓋２０から成る蓋付き容器においては、上記紙製容器１の各側板７，８，９，１０の隣接部に形成された各コーナー部１２，１３，１４，１５において隣接する側板７，８，９，１０と連結され且つ対向する一対の第一、第三側板７，９の外表面に折り重ね同表面に接着された第一乃至第四襠板１６，１７，１８，１９を設け、該襠板と該襠板が貼り合わされた第一、第三側板７，９部分を上記対向する一対の第一、第三嵌合溝２１，２３の外側壁３４と内側壁３５間、即ち嵌合溝２１，２３の内奥に挟み込む。よって上記加圧リブ２９，３０，３１，３２による加圧接触点における応力の内側方への逃げを有効に防止する。
【００７１】
上記第一側板７の外表面に貼り合わせられる第一、第二襠板１６，１７は互いに間隔を存し、該第一側板７は該第一、第二襠板１６，１７間において顕著に側方へ湾曲し、該第一、第二襠板１６，１７間の第一側板７上端縁の中央湾曲頂部３３が第一嵌合溝２１の外側壁３４の中央湾曲頂部３３′に加圧接触する。
【００７２】
同様に上記第三側板９の外表面に貼り合わせられる第三、第四襠板１８，１９は互いに間隔を存し、該第三側板９は該第三、第四襠板１８，１９間において顕著に側方へ湾曲し、該第三、第四襠板１８，１９間の第三側板９上端縁の中央湾曲頂部３３が第三嵌合溝２３の外側壁３４の中央湾曲頂部３３′に加圧接触する。
【００７３】
又図１，図１３に示すように、上記第一乃至第四側板７，８，９，１０は底板６側において幅狭で上端縁へ向け漸次幅広となる逆台形を呈し、又上記隣接する側板７，８，９，１０間に配された第一乃至第四襠板１６，１７，１８，１９はデルタ形を呈する。
【００７４】
上記第一乃至第四襠板１６，１７，１８，１９は底板６のコーナー部において終端する中央折線３９によって二つのデルタ片に分割され、該両デルタ片を中央折線３９からの二つ折りにより重ね合わせ、該二つ折り襠板の内側デルタ片を上記第一，第三側板７，９の外表面に接着する。この接着によって上記第一乃至第四側板７，８，９，１０の湾曲形状が保形される。
【００７５】
同様に各側板７，８，９，１０と各襠板１６，１７，１８，１９間には折線４０が存在し、各側板７，８，９，１０と底板６間に折線４１が存する。各側板７，８，９，１０は折線４１を介して底板６の四辺から立ち上げ、各襠板１６，１７，１８，１９は折線４０を介して側板７，８，９，１０のコーナー部から外方へ二つ折りしつつ突出し、上記第一，第三側板７，９への接着を図る。
【００７６】
図５，図１５に示すように、上記第一、第二紙製容器１とプラスチックシート製蓋２０から成る蓋付き容器における、上記各嵌合溝２１，２２，２３，２４の外側壁３４の下端縁部には外側方へ張り出す環状フランジ３６を設け、プラスチックシート製蓋２０の嵌合と嵌合解除操作を容易にする。
【００７７】
上記第一乃至第四嵌合溝２１，２２，２３，２４は上端内奥部において狭幅で、下端開口部において漸次拡口する形状にし、該下端開口部の外側壁３４の下端縁部に上記環状フランジ３６を設ける。
【００７８】
上記環状フランジ３６はプラスチックシート製蓋２０を紙製容器１に嵌合する時に迎え角となる傾斜板３７と該傾斜板３７の下端に連設された外側方へ略水平に張り出された縁板３８とから成る。
【００７９】
上記紙製容器１の側板上端縁は上記傾斜板３７の表面を滑りながら嵌合溝２１，２２，２３，２４内へ容易に嵌合され、又上記傾斜板３７と縁板３８とはプラスチックシート製蓋２０を紙製容器１から脱嵌操作する場合の手指の引っかかりとなり脱嵌操作を容易にする。
【図面の簡単な説明】
【００８０】
【図１】第一の紙製容器を展開した状態を以って示す平面図。
【図２】上記第一の紙製容器と第二の紙製容器の側面図。
【図３】上記第一の紙製容器の平面図。
【図４】上記第一の紙製容器と第二の紙製容器に被嵌するプラスチックシート製蓋を内面側から見た平面図。
【図５】上記第一の紙製容器とプラスチックシート製蓋との嵌合前の状態を示す断面図。
【図６】同嵌合後の状態を示す断面図。
【図７】上記第一の紙製容器の底板のみを抽出して示す平面図。
【図８】上記蓋の嵌合溝のみを抽出して示す平面図。
【図９】上記嵌合溝と紙製容器の各側板の嵌合状態を示す平面図。
【図１０】加圧リブと紙製容器のコーナー部における加圧接触状態を示す平面図。
【図１１】嵌合溝のリブ間の寸法と嵌合溝の中央湾曲頂部間の寸法を表す平面図。
【図１２】紙製容器のコーナー部間の寸法と側板の中央湾曲頂部間の寸法を表す平面図。
【図１３】第二の紙製容器を展開した状態を以って示す平面図。
【図１４】上記第二の紙製容器の平面図。
【図１５】上記第二の紙製容器とプラスチックシート製蓋との嵌合前の状態を示す断面図。
【図１６】同嵌合後の状態を示す断面図。
【図１７】上記第二の紙製容器の底板のみを抽出して示す平面図。
【図１８】上記蓋の嵌合溝のみを抽出して示す平面図。
【図１９】上記嵌合溝と紙製容器の各側板の嵌合状態を示す平面図。
【図２０】加圧リブと紙製容器のコーナー部における加圧接触状態を示す平面図。
【図２１】嵌合溝のリブ間の寸法と嵌合溝の中央湾曲頂部間の寸法を表す平面図。
【図２２】紙製容器のコーナー部間の寸法と側板の中央湾曲頂部間の寸法を表す平面図。
【符号の説明】
【００８１】
１・・・・・・・・紙製容器
２乃至５・・・・・第一乃至第四辺
６・・・・・・・・底板
７乃至１０・・・・第一乃至第四側板
１１・・・・・・・収容部
１２乃至１５・・・各側板の隣接部に形成されたコーナー部
１６乃至１９・・・第一乃至第四襠板
２０・・・・・・・プラスチックシート製蓋
２１乃至２４・・・第一乃至第四嵌合溝
２５乃至２８・・・各湾曲溝（嵌合溝）の隣接部に形成されたコーナー部
２９乃至３２・・・第一乃至第四加圧リブ
３３・・・・・・・嵌合溝の中央湾曲頂部
３３′・・・・・・側板の中央湾曲頂部
３４・・・・・・・湾曲溝（嵌合溝）の外側壁
３５・・・・・・・湾曲溝（嵌合溝）の内側壁
３６・・・・・・・環状フランジ
３７・・・・・・・傾斜板
３８・・・・・・・縁板
３９，４０，４１・・・・折線
【図１】
2005247413.tif 000003
【図２】
2005247413.tif 000004
【図３】
2005247413.tif 000005
【図４】
2005247413.tif 000006
【図５】
2005247413.tif 000007
【図６】
2005247413.tif 000008
【図７】
2005247413.tif 000009
【図８】
2005247413.tif 000010
【図９】
2005247413.tif 000011
【図１０】
2005247413.tif 000012
【図１１】
2005247413.tif 000013
【図１２】
2005247413.tif 000014
【図１３】
2005247413.tif 000015
【図１４】
2005247413.tif 000016
【図１５】
2005247413.tif 000017
【図１６】
2005247413.tif 000018
【図１７】
2005247413.tif 000019
【図１８】
2005247413.tif 000020
【図１９】
2005247413.tif 000021
【図２０】
2005247413.tif 000022
【図２１】
2005247413.tif 000023
【図２２】
2005247413.tif 000024